(57)【要約】【課題】金銭やカードを挿入して各種設定操作を行うリモートパネルにおいて、金銭やカードを挿入する複数の挿入口を備えた上部操作面を覆うカバーが前側に突出しないで開閉可能なリモートパネルを提供し、カバーを開く操作とパネル本体の高さ位置を調整する操作が容易であって利便性の向上したリモートパネルの昇降制御方法を提供する。【解決手段】前面部３１ａと側面部３１ｂとを有し、側面部３１ｂの前面部から後方に離れた位置に回動支点部３０を設けた構成のカバー３１とし、このカバー３１を備え、パネル本体７１を昇降させる昇降装置の昇降操作に連動してカバー３１を開閉する連動機構を設けたリモートパネル７Ａとした。また、昇降移動の下限位置と上限位置との間を昇降制御する第一昇降制御と、カバーが開位置となる中間停止位置と上限位置との間を昇降制御する第二昇降制御とに切り替え可能にしたリモートパネルの昇降制御方法とした。【選択図】図１
2014198553.tif 000002
【特許請求の範囲】
【請求項１】
金銭やカードを挿入する複数の挿入口を備えた上部操作面と、各種設定を行う下部操作面と、前記上部操作面を覆う開閉可能なカバーと、を有するリモートパネルであって、
前記カバーが、前記上部操作面を覆う前面部と、該前面部の両側をそれぞれ後方側に延設した側面部とを有し、該側面部の先端部分に回動支点部を設け、当該回動支点部を中心にして前記前面部が上方に向けて回動して開く構成としたことを特徴とするリモートパネル。
【請求項２】
基部と、該基部に対して昇降可能に摺動支持されると共に前記上部操作面及び前記下部操作面からなるパネル操作面を有するパネル本体と、該パネル本体を昇降させる昇降装置を備え、
前記昇降装置を介して前記パネル本体を上昇させる際に、当該上昇移動に連動して前記カバーを開く連動機構を設けたことを特徴とする請求項１に記載のリモートパネル。
【請求項３】
前記昇降装置は前記基部に装着するシリンダ部材と、該シリンダ部材のシリンダロッド先端部に設ける支持ベースとを有し、該支持ベースが前記パネル本体の底部に当接して前記パネル本体を昇降可能に支持すると共に、
前記連動機構は、前記支持ベースにその一端側が支持され、他端側が前記カバー側に遊着される連結ロッドを備え、前記支持ベースの上昇移動に連動して前記連結ロッドを上昇させて前記カバーを開く構成としたことを特徴とする請求項２に記載のリモートパネル。
【請求項４】
前記リモートパネルが洗車機の洗車モードを設定するためのリモートパネルであって、前記パネル本体に、被洗浄車両を検知する検知部を設け、前記検知部が当該リモートパネルの前に停車した被洗浄車両を検知すると前記昇降装置を介して前記パネル本体を上昇させると共に、上昇工程が、前記底部から所定距離離れている前記支持ベースが徐々に上昇して前記底部に当接するまでの第１上昇工程と、前記支持ベースが前記底部に当接して前記パネル本体を上昇させる第２上昇工程と、を有し、第１上昇工程において前記カバーを開けることを特徴とする請求項３に記載のリモートパネル。
【請求項５】
第２上昇工程の昇降範囲内における昇降移動を可能にする昇降制御ボタンを設けたことを特徴とする請求項４に記載のリモートパネル。
【請求項６】
請求項１から５のいずれかに記載のリモートパネルの昇降制御方法であって、
リモートパネルを昇降させるために設ける昇降装置の昇降範囲が上限位置と下限位置と、前記カバーが開位置となる中間停止位置とを有し、
下限位置と上限位置との間を昇降制御する第一昇降制御と、中間停止位置と上限位置との間を昇降制御する第二昇降制御とに切り替え可能にしたことを特徴とするリモートパネルの昇降制御方法。
【請求項７】
前記リモートパネルが洗車機の洗車モードを設定するためのリモートパネルであって、パネル本体に、被洗浄車両を検知する検知部を設け、前記検知部が当該リモートパネルの前に停車した被洗浄車両を検知すると前記昇降装置を介して前記パネル本体を中間停止位置まで自動的に上昇させると共に、前記リモートパネルに設ける昇降制御ボタンの操作に応じて中間停止位置と上限位置との間を移動可能にしたことを特徴とする請求項６に記載のリモートパネルの昇降制御方法。
【請求項８】
前記検知部を介して被洗浄車両がいなくなったことを検知した後、前記昇降装置を下限位置まで移動させることを特徴とする請求項７に記載のリモートパネルの昇降制御方法。
【発明の詳細な説明】
【技術分野】
【０００１】
本発明は、金銭やカードを挿入する複数の挿入口を備え、各種設定操作を行うパネル操作面を備えたリモートパネルに関し、特に、コイン投入口などを覆うカバーを備えたリモートパネルおよびリモートパネルの昇降制御方法に関する。
【背景技術】
【０００２】
従来、金銭やカードを挿入する複数の挿入口を備え、各種設定操作を行うパネル操作面を備えたリモートパネルが知られている。また、コイン投入口などを覆うカバーを備えたリモートパネルも知られている。
【０００３】
また、上記構成のリモートパネルを備えて、各種の洗車モードを設定して、ユーザーの求める洗車条件により洗車を行う洗車機も知られている。例えば、給油所などに設置されて、被洗浄車両と洗車機本体を前後方向に相対移動させながら、被洗浄車両に貯液タンクに貯留された液剤や洗浄水を噴射して、また、ブラッシングして洗車を行う構成とされる門型洗車機が知られている。
【０００４】
従来の門型洗車機の洗浄工程においては、先ず、洗浄水を用いた洗浄やシャンプーなどの液剤を用いた洗浄を行い、この洗浄工程の後で、各送風ノズルから送風して乾燥する乾燥工程が行われる。また、必要に応じてワックスや撥水コートなどの液剤塗布工程を適宜組み合わせて洗車を行う。
【０００５】
また、複数の洗車モードから所望のモードを選択し、使用する液剤の種類を選択して所定の洗車モードに設定するために、洗車機本体に配設している操作パネルや、洗車機本体から離れた洗車機への進入経路上に設置されるリモートパネルを備えている。そして、このリモートパネルと操作パネルとを電気的に接続して、リモートパネルに設定された洗車モードにより、洗車機を駆動可能にしている。
【０００６】
そのために、運転者が自ら所望の洗車モードを設定するためには、リモートパネルの前に被洗浄車両を停車して、窓から手を伸ばして現金やプリペイドカードを挿入口に挿入して、パネル操作面にて所定の洗車モード設定操作を行う。
【０００７】
このようなリモートパネルで行う洗車モード設定操作は片手で操作できることが好ましい。また、現金やプリペイドカードなどを挿入する挿入口に水やゴミなどが入り込まないようにするためにカバーを設置しているタイプでも、片手でカバーを開けて必要な操作が可能であることが好ましい。
【０００８】
そのために、利用者が車両に乗ったまま操作可能な操作盤に設けるカバーが、その開き位置と閉じ位置のそれぞれで静止可能とされ、片手で開閉操作可能とされる料金清算装置が既に公開されている（例えば、特許文献１参照）。
【０００９】
また、自動販売機などの紙幣挿入口に設けるカバーも、開閉容易で且つ、紙幣の挿入も容易となることが求められるので、開けたカバーを保持する磁性体と、この磁性体と同極性の磁力を発生させる磁力発生装置をカバーに内蔵して、商品の排出等に連動して磁力を発生して開状態のカバーを自動的に閉止するとした販売機の紙幣挿入口装置が既に公開されている（例えば、特許文献２参照）。
【先行技術文献】
【特許文献】
【００１０】
【特許文献１】特開２００２−１７０１４８号公報
【特許文献２】特開平５−４６８５１号公報
【発明の概要】
【発明が解決しようとする課題】
【００１１】
リモートパネルのカバーを開位置と閉位置とに一時的に保持する構成としておけば、金銭やプリペイドカードなどの挿入、および設定操作をユーザー（運転者）が片手で行うことができて好ましい。
【００１２】
また、カバーは各種設定操作を行う際に開けるので、操作の開始時に、例えば、被洗浄車両がリモートパネルの前に停車した時に、開閉操作することになる。そのために、カバーが前開きの構成であれば、開く途中で被洗浄車両に回動接近して接触する可能性が生じて問題となる。
【００１３】
特に、カバーの一端側に回動支点部を設けて回動させる構成では、カバーの幅に相当する半径で前方に突出するように回動して、前に位置する被洗浄車両に接近してしまうので、特に注意が必要となる。従って、リモートパネルの前面を覆うカバーは、前側に突出しないように開閉可能であることが望まれる。
【００１４】
また、人によっては自分でカバーを開閉操作することを嫌う人もいるので、各種操作を行う際に、例えば、被洗浄車両がリモートパネルの前に停車して洗車モードの設定をする際に開き、洗車モードの設定が終わってリモートパネルの前から移動した後で閉じる構成であることが望まれる。
【００１５】
また、ユーザー自身による操作は出来るだけ少なく、しかも簡単であることが好ましく、カバーを開く操作とリモートパネルをユーザーの操作のし易い高さ位置に昇降させる操作が容易に行えて、利便性の向上したリモートパネルの昇降制御方法であることが好ましい。
【００１６】
本発明は、上記問題点に鑑み、金銭やカードを挿入して各種設定操作を行うリモートパネルにおいて、金銭やカードを挿入する複数の挿入口を備えた上部操作面を覆うカバーが前側に突出しないで開閉可能なリモートパネルを提供し、カバーを開く操作とパネル本体の高さ位置を調整する操作が容易であって利便性の向上したリモートパネルの昇降制御方法を提供することを目的とする。
【課題を解決するための手段】
【００１７】
上記目的を達成するために本発明は、金銭やカードを挿入する複数の挿入口を備えた上部操作面と、各種設定を行う下部操作面と、前記上部操作面を覆う開閉可能なカバーと、を有するリモートパネルであって、前記カバーが、前記上部操作面を覆う前面部と、該前面部の両側をそれぞれ後方側に延設した側面部とを有し、該側面部の先端部分に回動支点部を設け、当該回動支点部を中心にして前記前面部が上方に向けて回動して開く構成としたことを特徴としている。
【００１８】
この構成によると、カバーを開ける際に、前面部から後方に離れた位置にある回動支点部を中心にして上方に回動するので、前面部が前側に突出しない状態で開くことができる。すなわち、金銭やカードを挿入して各種設定操作を行うリモートパネルにおいて、金銭やカードを挿入する複数の挿入口を備えた上部操作面を覆うカバーが前側に突出しないで開閉可能とすることができる。
【００１９】
また本発明は、上記構成のリモートパネルにおいて、前記リモートパネルが、基部と、該基部に対して昇降可能に摺動支持されると共に前記上部操作面及び前記下部操作面からなるパネル操作面を有するパネル本体と、パネル本体を昇降させる昇降装置を備え、前記昇降装置を介して前記パネル本体を上昇させる際に、当該上昇移動に連動して前記カバーを開く連動機構を設けたことを特徴としている。この構成によると、パネル本体を上昇させると、連動機構を介してカバーも連動させて一緒に開くことができるので、ユーザーにとって操作容易となり利便性が向上する。また、カバーは前側に突出しないように開くので、前に立っているユーザーや前に停車している被洗浄車両との干渉を抑制することができる。
【００２０】
また本発明は、上記構成のリモートパネルにおいて、前記昇降装置は前記基部に装着するシリンダ部材と、該シリンダ部材のシリンダロッド先端部に設ける支持ベースとを有し、該支持ベースが前記パネル本体の底部に当接して前記パネル本体を昇降可能に支持すると共に、前記連動機構は、前記支持ベースにその一端側が支持され、他端側が前記カバー側に遊着される連結ロッドを備え、前記支持ベースの上昇移動に連動して前記連結ロッドを上昇させて前記カバーを開く構成としたことを特徴としている。この構成によると、シリンダ部材を介して支持ベースが上昇すると連結ロッドも同時に上昇してカバーを開けることができる。
【００２１】
また本発明は、上記構成のリモートパネルにおいて、前記リモートパネルが洗車機の洗車モードを設定するためのリモートパネルであって、前記パネル本体に、被洗浄車両を検知する検知部を設け、前記検知部が当該リモートパネルの前に停車した被洗浄車両を検知すると前記昇降装置を介して前記パネル本体を上昇させると共に、上昇工程が、前記底部から所定距離離れている前記支持ベースが徐々に上昇して前記底部に当接するまでの第１上昇工程と、前記支持ベースが前記底部に当接して前記パネル本体を上昇させる第２上昇工程と、を有し、第１上昇工程において前記カバーを開けることを特徴としている。この構成によると、被洗浄車両がリモートパネルの前に停車すると、これを検知部にて検知してリモートパネルを自動的に上昇させる。この際に、上昇工程の初期の第１上昇工程において、カバーを自動的に開くことができるので、ユーザーにとって操作容易となり利便性がさらに向上する。
【００２２】
また本発明は、上記構成のリモートパネルにおいて、第２上昇工程の昇降範囲内における昇降移動を可能にする昇降制御ボタンを設けたことを特徴としている。この構成によると、第２上昇工程の昇降範囲内ではカバーが開いた状態であるので、このカバーが開いた状態を維持したまま、パネル本体を昇降制御可能になる。
【００２３】
また本発明は、上記構成のリモートパネルの昇降制御方法であって、リモートパネルを昇降させるために設ける昇降装置の昇降範囲が上限位置と下限位置と、前記カバーが開位置となる中間停止位置とを有し、下限位置と上限位置との間を昇降制御する第一昇降制御と、中間停止位置と上限位置との間を昇降制御する第二昇降制御とに切り替え可能にしたことを特徴としている。
【００２４】
この構成によると、昇降装置の昇降制御範囲の下限位置と上限位置との間に中間停止位置を設けて、下限位置と上限位置との間を昇降制御することに加えて、中間停止位置と上限位置との間に限定して昇降制御することができるので、カバーを開いた状態を維持したまま昇降制御することが可能になり、リモートパネルを操作するユーザーにとって操作が容易となる昇降制御方法となる。従って、カバーを開く操作とパネル本体の高さ位置を調整する操作が容易であって利便性の向上したリモートパネルの昇降制御方法を得ることができる。
【００２５】
また本発明は、上記構成のリモートパネルの昇降制御方法において、前記リモートパネルが洗車機の洗車モードを設定するためのリモートパネルであって、パネル本体に、被洗浄車両を検知する検知部を設け、前記検知部が当該リモートパネルの前に停車した被洗浄車両を検知すると前記昇降装置を介して前記パネル本体を中間停止位置まで自動的に上昇させると共に、前記リモートパネルに設ける昇降制御ボタンの操作に応じて中間停止位置と上限位置との間を移動可能にしたことを特徴としている。この構成によると、洗車を希望するユーザーがリモートパネルの前に被洗浄車両を停車すると、検知部がこれを検知して昇降装置が中間停止位置まで上昇してリモートパネルのカバーを開くので、ユーザーはリモートパネルの操作や、リモートパネルを好ましい高さ位置に移動する昇降操作を容易に行うことができる。
【００２６】
また本発明は、上記構成のリモートパネルの昇降制御方法において、前記検知部を介して被洗浄車両がいなくなったことを検知した後、前記昇降装置を下限位置まで移動させることを特徴としている。この構成によると、操作終了したユーザーが被洗浄車両を移動させた後で、リモートパネルのカバーが閉まるので、操作しない間はリモートパネルの上部操作面を自動的に覆うことができて、風雨などに起因する汚れや損傷を防止可能になる。
【発明の効果】
【００２７】
本発明によれば、金銭やカードを挿入して各種設定操作を行うリモートパネルにおいて、金銭やカードなどの挿入口を備えた上部操作面を覆うカバーを、側面部の前面部から後方に離れた位置に回動支点部を設け、この回動支点部を中心にして回動させるので、前面部が前側にさほど突出しない状態で開くことができる。そのために、金銭やカードを挿入して各種設定操作を行うリモートパネルにおいて、金銭やカードを挿入する複数の挿入口を備えた上部操作面を覆うカバーが前側に突出しないで開閉可能とすることができる。また、ユーザーが被洗浄車両をリモートパネルの前に停車すると、自動的に上部操作面のカバーが開き、このカバーを開いた状態で昇降可能になるので、リモートパネルを操作するユーザーにとって利便性の向上したリモートパネルの昇降制御方法を得ることができる。
【図面の簡単な説明】
【００２８】
【図１】本発明に係るカバーを備えたリモートパネルの概略側面図である。
【図２】本発明に係るカバーを備えたリモートパネルの概略正面図である。
【図３】カバーを説明する概略側面図である。
【図４】シリンダ部材と支持ベースと連結ロッドの構成を示す概略説明図である。
【図５】連動機構を構成する連結ロッドを示す概略説明図である。
【図６】リモートパネルの第１の例を示す正面図である。
【図７】リモートパネルを備えた洗車機の全体構成を示す概略説明図である。
【図８】リモートパネルの第２の例を示す正面図である。
【図９】リモートパネルの昇降制御方法の一例を示すタイムチャートである。
【発明を実施するための形態】
【００２９】
以下に本発明の実施形態を図面を参照して説明する。また、同一構成部材については同一の符号を用い、詳細な説明は適宜省略する。
【００３０】
本実施形態に係るリモートパネルは、金銭やカードを挿入して各種設定操作を行うもので、複数の挿入口を備えた上部操作面を覆うカバーを備える。特に、洗車機の洗車モードを設定するリモートパネルのコイン挿入口やカード挿入口などの開口部を有する上部操作面を覆うのに好適なカバーを備えるものである。そのために、本発明に係る実施形態として、洗車機への進入経路上に設置され、金銭やカードを挿入して各種の洗車モードの設定操作を行うリモートパネルを用いて説明する。
【００３１】
図１に示すリモートパネル７Ａは、例えば、洗車機の洗車モードを設定するリモートパネルのパネル操作面、特に、コイン挿入口やカード挿入口などの開口部を有する操作面を覆うカバー３１を備える。また、カバー３１は、図１に示すように、土台となる基部７０とその上部に昇降可能に設置されるパネル本体７１とを有するリモートパネル７Ａの、パネル操作面の上部に設けられており、この上部操作面を覆うように閉止した待機位置３１Ａと開位置３１Ｂとに変位可能に構成されている。
【００３２】
リモートパネル７Ａは、例えば図７に示すように、洗車機ＷＡへの進入経路上に設置され、リモートパネル７Ａの正面に被洗浄車両ＣＡを停車して、運転者（ユーザー）が窓から手を伸ばして所望の洗車モードの設定操作を行なう際に用いられる装置である。
【００３３】
また、洗車モードの設定操作の際には、まず、所定の費用を清算するために金銭を投入したりカードを挿入したりする。そして、所定の洗車モードを設定して、つり銭やカードやレシートなどを受け取った後、洗車位置に移動して所定の洗車を実行する。そのために、パネル操作面の上部に、金銭やカードなどを挿入する上部操作面が設けられており、その下に、洗車モードを設定するための下部操作面が設けられている。それから、さらにその下に、つり銭やレシートの排出部が設けられている。
【００３４】
そのために、ユーザーが操作するパネル本体７１のパネル操作面は、金銭やカードを挿入する挿入口を備えた上部操作面や、所定の洗車モードを設定する下部操作面や、つり銭やレシートなどの受け取り部などの各種の操作面を有しており、それぞれの高さ位置を、車中のユーザーが操作容易となるように、基部７０に装着するシリンダ部材４１を介してパネル本体７１を昇降可能に設置している。次に、本実施形態に係るリモートパネル７Ａについて、各種の操作ボタンを設けた下部操作面を備えた第１の例を実施例１として図６を用いて説明する。
【００３５】
〈実施例１〉
図６に示すリモートパネル７Ａは、基部７０にパネル本体７１が上下動自在に装着された構成であって、基部７０に昇降装置（図１、図２に示すシリンダ部材４１とシリンダロッド４２と支持ベース４３を含む）を内蔵し、上昇ボタン８５ａ、もしくは下降ボタン８５ｂを押下して、それぞれ上昇、下降させることが可能とされている。また、パネル本体７１の正面側に操作面を有しており、この操作面の上部には、返却レバー７２、コイン挿入口７３、紙幣挿入口７４、カード挿入口７５を有する上部操作面９が設けられている。また、パネル操作面の下部に設けられた７８はつり銭の返却口もしくは領収書発行部となる払い出し部である。
【００３６】
また、上部操作面９の下に洗車モードを設定する操作の各ステップに対応した表示部と操作部を有する下部操作面９０Ａが設けられており、所定の金額を表示するステップ１（Ｓ１）と、洗車モード設定ボタン８２（８２ａ、８２ｂ、８２ｃ・・・）が配置されて所望の洗車モードに設定するステップ２（Ｓ２）と、装備品設定ボタン８３を操作して被洗浄車両ＣＡが備える装備品を設定するステップ３（Ｓ３）と、洗車を開始するスタートボタンを操作するステップ４（Ｓ４）とに対応した盤面配置が形成されている。
【００３７】
ステップ１（Ｓ１）に対応する盤面には、挿入された金額を表示する金額表示部８１が設けられている。ステップ２（Ｓ２）に対応する盤面には、各種の洗車モードに対応する設定ボタン８２ａ、８２ｂ、８２ｃ・・・が配置されている。設定ボタン８２ａは、例えば、シャンプーを行うボタンであり、設定ボタン８２ｂは、例えば、ワックス掛けを行うボタンであり、設定ボタン８２ｃは、例えば、撥水コートを行うボタンである。この他にも、第二（高級）シャンプー、第二（高級）ワックス、第二（高級）撥水コートや特殊なコートを行う選択ボタンを設ける構成としている。
【００３８】
ステップ３（Ｓ３）に対応する盤面には、装備品設定ボタン８３として、例えば、該当装備品なしボタン８３ａ、フロントガードありボタン８３ｂ、フェンダーポールありボタン８３ｃ、ドアミラーありボタン８３ｄ、リヤワイパーありボタン８３ｅなどが設けられている。ステップ４（Ｓ４）に対応する盤面には、スタート操作ボタン８４として、例えば、スタートボタン８４ａ、キャンセルボタン８４ｂが設けられている。
【００３９】
上記の各ステップに応じた操作を行って、所望の洗車モードに設定する。次に、所望の洗車モードに設定した後で、被洗浄車両ＣＡを洗車機に移動し、洗車機の左右一対のレール間の所定の位置に停車して、洗車機本体に設ける車体検知センサがオンすることで洗車操作が開始される。また、別に設けるスタートボタンを介して、洗車操作を開始する構成としてもよい。
【００４０】
また、リモートパネル７Ａには、報知手段として音声出力を行うスピーカ８０が設けられており、洗車モードの設定操作の内容や手順を案内する音声ガイド、もしくは、注意事項などの音声ガイドを出力可能としている。また、音声ガイドの出力を停止する停止ボタン７６と、音声ガイドの音量を調整するボリューム調整ボタン７７が設けられている。
【００４１】
７９は車両検知部であって、リモートパネル７Ａ部に進入してくる被洗浄車両ＣＡを検知する反射型光電センサからなる。また、リモートパネル７Ａに、被洗浄車両ＣＡの車体の色とその濃淡を検知するカラー検知手段８６を設けて、車体に適した液剤や洗車モードをユーザーに報知可能な構成としてもよい。また、これらの検知動作や設定操作などを行うために必要な情報を入力、設定、記憶、制御するために制御装置ＣＤが配設されている。
【００４２】
上記した洗車モードの設定は、運転者（ユーザー）自身が、リモートパネル７Ａの上部操作面９に金銭やプリペイドカードを挿入して、その後で、下部操作面９０Ａで所定の手順に従って所定の洗車モード設定操作を行う。そのために、金銭やプリペイドカードなどを挿入するために、上部操作面９にコイン挿入口７３、紙幣挿入口７４、カード挿入口７５が設けられている。また、これらの挿入口に雨や水やゴミなどが入り込むのを防止するためにカバー３１が設置されている。すなわち、上部操作面９をカバーするためのカバー３１を開閉可能に設けている。
【００４３】
カバー３１は、例えば板金板枠に透明樹脂から成る窓部を設けた構成とされる。また、正面視で矩形とされ、側面に回動支点部を設け、当該回動支点部を中心にして正面部が上方に向けて回動して開く構成としている。
【００４４】
上記した構成のリモートパネル７Ａを介して洗車モードを設定する際には、先ずカバー３１を開けて、現金やプリペイドカードなどを挿入して、その後の洗車モード設定操作を行う。そこで、本実施形態では、カバー３１の開閉操作時に、回動するカバー３１が前側に突出しないようにしている。また、ユーザーが開閉操作を行うのではなく、自動的に開閉できるようにもしている。
【００４５】
例えば、図２に示すように、操作開始前はパネル本体７１が最も低い高さの待機位置にあって、それから、昇降装置を介してパネル本体７１を上昇させようとする初期の段階において、例えば、昇降装置を距離Ｌ１上昇させる操作に連動させてカバー３１を開き、その後の距離Ｌ２上昇駆動時にパネル本体７１を上昇させる構成にしている。すなわち、本実施形態の昇降装置の上昇工程は、閉止状態のカバー３１を開く第１上昇工程と、その後の下部操作面９０Ａを適当な高さにする第２上昇工程との２段階の上昇工程から成る。
【００４６】
また、設定操作終了後は、逆方向の操作となり、昇降装置による下降操作に応じて距離Ｌ２パネル本体７１が低下し、その後の距離Ｌ１の下降操作に応じてカバー３１が閉まる。すなわち、実際にユーザーが洗車モードを設定する際のパネル本体７１の高さ位置（操作位置）は、距離Ｌ２の範囲内である。
【００４７】
上記構成を実現するために、パネル本体７１は、その下部が基部７０に嵌り込むと共にガイド部材７１ｂを介して摺動自在に保持される嵌合部７１ａを有し、底部７１ｃが基部７０の上端面に当接してその待機位置に規定されている。また、カバー３１は、前面部（前面枠）３１ａと側面部３１ｂと透明窓３１ｃを有し、一方の側面部に固定ロッド３２を設け、この固定ロッド３２に連なる連結ロッド３３を、シリンダ部材４１のシリンダロッド４２の先端部に装着する支持ベース４３に取付けた構成としている。
【００４８】
シリンダ部材４１（シリンダロッド４２を含む）と支持ベース４３とでパネル本体７１を昇降させる昇降装置を構成しており、シリンダロッド４２の先端部に装着される支持ベース４３をパネル本体７１の底部７１ｃに当接して上昇させることができ、支持ベース４３を降下させるとパネル本体７１は自重により降下する。また、支持ベース４３が上昇すると、この上昇移動に連動してカバー３１を回動させる連動機構を設けている。
【００４９】
シリンダ部材４１による上昇移動に連動してカバー３１を開く連動機構として本実施形態では、回動支点部３０から所定距離離れた部位に取付けられる固定ロッド３２と、支持ベース４３にその一端側が支持され、他端側が固定ロッド３２に遊着される連結ロッド３３を備えた構成を採用している。
【００５０】
例えば、図３に示すように、カバー３１は、リモートパネル７Ａの上部操作面９を覆う前面部３１ａと、前面部３１ａの側部両側をそれぞれ後方側に延設した側面部３１ｂとを有し、該側面部３１ｂの先端部分に回動支点部３０を設けて、該回動支点部３０を中心にして前面部３１ａが上方に向けて回動して開く構成としている。この構成であれば、カバー３１を開ける際に、前面部３１ａから後方に離れた位置にある回動支点部３０を中心にして回動するので、前面部３１ａが前側に突出しない状態で開くことができる。
【００５１】
カバー３１は回動支点部３０を中心にして回動可能であるので、回動支点部３０から所定距離離れた部位に固定ロッド３２を取り付けることにより、固定ロッド３２に遊着される連結ロッド３３を上下させることで、カバー３１を待機位置３１Ａと開位置３１Ｂとの間に回動可能になる。
【００５２】
上記した構成であれば、第１上昇工程において、シリンダ部材４１を介して支持ベース４３が上昇すると連結ロッド３３も同時に上昇して固定ロッド３２を介して側面部３１ｂを回動支点部３０を中心にして回動させることができる。
【００５３】
また、図２に示すように、待機位置では支持ベース４３はパネル本体７１の底部７１ｃから距離Ｌ１離れている。そして、第１上昇工程において、シリンダロッド４２が距離Ｌ１伸長すると、支持ベース４３がパネル本体７１の底部７１ｃに当接する。このままシリンダロッド４２を伸長させていく第２上昇工程では、カバー３１の開き位置は変化せずに、そのままカバー３１が開いた状態でパネル本体７１が上昇することになる。
【００５４】
すなわち、待機状態において支持ベース４３とパネル本体７１の底部７１ｃとを隔離しておくことにより、シリンダ部材４１の伸長開始時の距離Ｌ１までの第１上昇工程を用いて連結ロッド３３を上昇させてカバー３１を開くことができ、その後の、距離Ｌ２の第２上昇工程において、このカバー３１の開いた状態を維持したまま、パネル本体７１を上昇させることができる。
【００５５】
また、伸長したシリンダロッド４２を縮めると、パネル本体７１が距離Ｌ２下降した後、底部７１ｃが基台７０に当接して下降が停止し、その後は、シリンダロッド４２の短縮移動に連動してカバー３１が閉まるようになっている。
【００５６】
従って、距離Ｌ１と距離Ｌ２の合計がシリンダ部材４１の全ストロークＳＴとなると共に、シリンダ部材４１のストロークの一部を利用してカバー３１を開閉操作させることができる。つまり、洗車モードの設定操作開始時に、リモートパネル７Ａの前に被洗浄車両ＣＡが停止してパネル本体７１を上昇させる操作を行うことにより、この上昇操作の初期段階を利用してカバー３１を自動的に開くことが可能になる。
【００５７】
上記したように、本実施形態に係るリモートパネル７Ａはパネル本体７１を待機位置から操作位置まで上昇させ、操作終了後は待機位置まで下降させる昇降装置を有し、昇降装置を介してパネル本体７１を上昇させる際に、当該上昇移動に連動してカバー３１を開く連動機構を設けた構成としている。この構成であれば、被洗浄車両ＣＡがリモートパネル７Ａの前に停車してパネル本体７１を操作位置まで上昇させる際に、同時にカバー３１も一緒に開くので、ユーザーにとって操作容易となり利便性が向上する。また、カバー３１は前側に突出しないように開くので、被洗浄車両ＣＡとの干渉を抑制することができる。
【００５８】
また、リモートパネル７Ａに被洗浄車両ＣＡを検知する検知部７９を設けて、検知部７９がリモートパネル７Ａの前に停車した被洗浄車両ＣＡを検知すると昇降装置を介してパネル本体７１を上昇させるように制御する構成であれば、被洗浄車両ＣＡがリモートパネル７Ａの前に停車すると、これを検知部７９にて検知してパネル本体７１を自動的に上昇させることができる。また、前述した第１上昇工程と第２上昇工程の順に昇降制御することも可能になる。このような構成であれば、ユーザー自身がカバー３１を開ける操作をせずに、自動的に開くことができると共に、金銭やカードの挿入操作も洗車モードの設定操作も適当な高さで操作可能になるので、ユーザーにとって操作容易となり利便性がさらに向上する。
【００５９】
また、パネル本体７１の上部にコイン挿入口７３、紙幣挿入口７４、カード挿入口７５などを設けた上部操作面９を配設しているので、操作開始時には、パネル本体７１を最も低い高さにしておくにより、この上部操作面９をユーザーが操作し易い高さ位置に設定しておくことができる。また、上部操作面９を介して受付操作が開始された後は、第２上昇工程を利用して、洗車モードを設定する下部操作面を操作し易い高さ位置に移動させることができる。
【００６０】
次に、図４および図５を用いて、連結ロッド３３の形状と構成について説明する。
【００６１】
図５に示すように、連結ロッド３３は棒材を階段状に折り曲げた形状であり、上端部が固定ロッド３２にネジ部材ＢＬ１を介して遊着されている。すなわち、連結ロッド３３は固定ロッド３２に対して回動可能に構成される。
【００６２】
また、立設部から水平方向に屈曲した部分をロッド受け板３４に遊嵌状に取付けて、ロッド受け板３４を支持ベース４３に固定する。例えば、連結ロッド３３は径８ｍｍ程度の金属製棒材からなり、この棒材の水平部分をブッシュ部材を介してロッド受け板３４に取付けて、回動自在に保持するとよい。
【００６３】
図４に示すように、シリンダ部材４１のシリンダロッド４２を図の矢印方向に往復移動させることにより、支持ベース４３および、この支持ベース４３に取付けた連結ロッド３３を昇降移動することができる。また、この第１上昇工程において連結ロッド３３が上昇すると固定ロッド３２を介してカバー３１を回動して開くことができる。
【００６４】
また、支持ベース４３がパネル本体７１の底部７１ｃに当接した後は、第２上昇工程となり、開いた状態のカバー３１とパネル本体７１が一体となって上昇移動する。
【００６５】
次に、図７を用いて洗車を希望するユーザーが、所望の洗車モードを設定して洗車を行う操作手順を説明する。
【００６６】
図７に示す洗車機ＷＡは、車輪３を介してレール２に沿って走行移動する門型の洗車機本体１に、洗浄部材として、トップブラシ４、サイドブラシ５、ロッカーブラシ６、および、第一浄水ノズル１１、第一洗剤ノズル１２、第二浄水ノズル１３、撥水コートノズル１４、第二洗剤ノズル１５、ワックスノズル１６などを備え、乾燥手段として、ブロワ２０、トップ送風ノズル２１、サイド送風ノズル２２などを備えた構成とされる。
【００６７】
また、洗剤やワックス等の各種液剤を貯液する複数の貯液タンクを収納するタンク収納部１７と、市水及び各貯液タンクからの液剤を電磁弁等を介して分配する分配配管部１８とが設けられており、市水を用いた洗浄や洗剤やワックス等の各種液剤を混合した洗浄液を用いた洗浄が可能とされる。
【００６８】
洗車機本体１の一方の側方の前面には操作パネル７が配される。操作パネル７はリモートパネル７Ａと同様の操作ボタンを備え、管理者や被洗浄車両ＣＡから降車したユーザー等の操作により洗車の受け付けや洗車条件の設定を行う。
【００６９】
洗車条件の設定としてはシャンプー、ワックス掛け、撥水コート等を水洗いに追加するボタンが操作パネル７及びリモートパネル７Ａに設けられる。また、高級なシャンプー、高級なワックス（例えば、艶出しコーティング）、高級な撥水コート、特殊なコート等を行うボタンも設けられている。さらに、フロントガード有り、フェンダーポール有り、ドアミラー有り、リヤワイパー有り、該当装備品無し等の装備品設定ボタンが設けられている。
【００７０】
前述したように、洗車機ＷＡへの進入経路上に、各種の洗車モードを選択して設定可能なリモートパネル７Ａが設置されており、洗車を希望するユーザーは、リモートパネル７Ａの正面に被洗浄車両ＣＡを停車して、窓から手を伸ばして所望の洗車モードの設定操作を行なう。
【００７１】
本実施形態に係るリモートパネル７Ａは、上部操作面９を覆うと共に自動的に開閉可能なカバー３１を備えているので、被洗浄車両ＣＡに乗ったままリモートパネル７Ａの前で停車したユーザーは、窓から手を伸ばして、上部操作面９に設けられた挿入口に現金やプリペイドカードを挿入して所定の洗車モードの設定操作を行う。
【００７２】
そのために、ユーザーが洗車モードの設定操作を行う開始時には、カバー３１が開いてパネル本体７１が所定の高さにあることが好ましいので、本実施形態では、前述した車両検知部７９が、被洗浄車両ＣＡがリモートパネル７Ａの前に停車したことを検知した時に、パネル本体７１を所定位置に維持したままカバー３１を開く（昇降装置を介して支持ベース４３を距離Ｌ１上昇させる）第１上昇工程を実行するようにしている。
【００７３】
上記の構成であれば、洗車を希望するユーザーが被洗浄車両ＣＡをリモートパネル７Ａの前に停車させると、パネル本体７１の高さ位置を維持したままカバー３１を開いて上部操作面９を露出させることができる。また、この第１上昇工程により上部操作面９を露出するので、現金やプリペイドカードなどの挿入操作を容易に行うことが可能になる。また、その後の洗車モードの設定は、第２上昇工程により予め定められる所定高さに設定すると共に、前述した上昇ボタン８５ａや下降ボタン８５ｂを介して適宜調整して行うとよい。そのために、現金やプリペイドカードの挿入、および、これらを挿入した後の洗車モードの設定操作も、片手で容易に行うことが可能となる。
【００７４】
所定の洗車モードの設定操作が終了すると、ユーザー（運転者）は車の窓を閉めて洗車機本体１の洗車位置に移動して停車し、洗浄開始を待つ。この際に、ユーザーがリモートパネル７Ａの前から被洗浄車両ＣＡを移動させると、前述した検知部７９を介して車両が退出したことを検知してパネル本体７１を待機位置に戻す構成にしている。また、この際には、昇降装置を下限位置まで下降操作してカバー３１を閉止するとよい。
【００７５】
〈実施例２〉
次に、下部操作面をタッチパネル式としたリモートパネルの実施形態を実施例２として図８を用いて説明する。尚、上部操作面９や昇降装置やカバー開閉機構などの下部操作面をタッチパネル式とした以外の構成は前述した実施例１と同じであるので、本実施形態に係るリモートパネルもリモートパネル７Ａとして説明する。また、重複する説明は省略し、異なる部分を主に説明する。
【００７６】
本実施形態のリモートパネル７Ａはタッチパネル式の下部操作面９０Ｂを備えており、所定の洗車モードを設定する際には、前述した各ステップＳ１〜Ｓ４に対応した操作画面（洗車モード設定画面）が表示される。
【００７７】
また、操作画面中に、パネル本体７１をインチング操作可能に昇降移動させるための上昇ボタン９１と下降ボタン９２を常時表示している。そのため、この上昇ボタン９１と下降ボタン９２とをインチング操作して、所望の高さ位置にパネル本体７１を移動可能になる。
【００７８】
もちろん、この実施形態においても前述した上昇ボタン８５ａや下降ボタン８５ｂを設けているが、このボタンはインチング操作可能な操作ボタンであってもよいが、本実施形態においては、１回操作されるとその工程の最後まで移動させる連続移動操作ボタンとしている。
【００７９】
例えば、洗車を希望するユーザーがリモートパネル７Ａの前に被洗浄車両ＣＡを停車すると、前述したように、検知部７９がこの被洗浄車両ＣＡを検知して昇降装置を自動的に駆動してカバー３１を開いて上部操作面９を露出する。この状態でユーザーが窓から手を伸ばして上昇ボタン８５ａを押下すると、パネル本体７１を上限高さまで上昇させる。そして、所定の洗車モードの設定操作が開始されると、下部操作面９０Ｂに上昇ボタン９１と下降ボタン９２を表示し、表示された下降ボタン９２をインチング操作することにより所望の高さ位置まで下降させ、さらに、上昇ボタン９１をインチング操作して所望の高さ位置まで上昇させることができる。
【００８０】
すなわち、被洗浄車両ＣＡがリモートパネル７Ａの前に停車すると、前述した昇降装置が自動的に駆動され第１上昇工程が開始されてカバー３１を開き、ユーザーが上昇ボタン８５ａを押下するとパネル本体７１が上限高さまで上昇する。そして、ユーザーが下部操作面９０Ｂに表示される下降ボタン９２をタッチ操作することによりパネル本体７１を下降させ、上昇ボタン９１をタッチ操作することによりパネル本体７１を上昇させる第２上昇工程が実施可能になる。全ストロークＳＴにおける初期の第１上昇工程は自動制御ＡＣであり、後半の第２上昇工程は、インチング操作可能な可変制御ＶＣである。
【００８１】
また、インチング操作可能な上昇ボタン９１を操作し続けても上昇端である上限高さで移動停止し、下降ボタン９２を操作し続けても第２上昇工程の下降端であるカバー３１が開いた高さで移動停止するようにしている。
【００８２】
次に、上記で説明した可変制御ＶＣを含むリモートパネルの昇降制御方法について図９を用いて詳細に説明する。図９は、リモートパネルの昇降制御方法の一例を示すタイムチャートである。
【００８３】
図９の実線に示すタイムチャートは、洗車を希望するユーザーがリモートパネル７Ａの前に被洗浄車両ＣＡを停車した時刻Ｔ０から、洗車モードの設定操作が終了してユーザーがリモートパネル７Ａの前から被洗浄車両ＣＡを移動させてカバー３１が閉止される時刻Ｔ１３までの昇降装置の駆動状態の変化を示したものである。
【００８４】
リモートパネル７Ａの前に停車した被洗浄車両ＣＡを検知した時刻Ｔ０で昇降装置が自動的に駆動開始され、時刻Ｔ１にて下限位置Ｈ０から距離Ｌ１上昇してカバー３１を開けた位置（中間停止位置Ｈ１）で一旦停止する。すなわち、この駆動制御は自動制御ＡＣである。そして、時刻Ｔ２でユーザーが上昇ボタン８５ａを押下すると昇降装置の駆動が再開されてパネル本体７１が上昇していき、距離Ｌ２上昇して上限位置Ｈ２に到達する。
【００８５】
上限位置Ｈ２に達すると昇降装置は停止される。この高さ位置で全ての洗車モードの設定操作を行ってもよいが、例えば、下部操作面９０Ｂに表示される各洗車モードの内容や操作手順などを確認した後、各洗車モードの設定画面位置に応じた所定の設定し易い高さに変更して設定操作を行うことが好ましい。
【００８６】
例えば、時刻Ｔ４から時刻Ｔ５までに下降ボタン９２をタッチ操作して高さＨ１１にして第１の設定操作を行い、その後、時刻Ｔ６から時刻Ｔ７までに下降ボタン９２を再びタッチ操作して高さＨ１２にして、第２の設定操作を行う。
【００８７】
また、この位置から上昇ボタン９１をタッチ操作してパネル本体７１を上昇させることができる。例えば、第２の設定操作終了後の時刻Ｔ８から時刻Ｔ９まで上昇ボタン９１をタッチ操作して高さＨ１３にして第３の設定操作を行う。このようにして、全ての洗車モードの設定操作を上昇ボタン９１と下降ボタン９２をインチング操作し所望の高さ位置に調整して行うことができる。
【００８８】
全ての洗車モードの設定操作が終了したユーザーが下降ボタン８５ｂを押下すると、カバー３１が開いた中間停止位置Ｈ１に戻るようにしている。もちろん、ユーザーが下降ボタン９２をタッチ操作し続けて中間停止位置Ｈ１に戻すことも可能である。
【００８９】
すなわち、可変制御ＶＣ領域においては、ユーザーのインチング操作によりパネル本体７１を昇降させる昇降操作ＶＣ２と、ユーザーが上昇ボタン８５ａと下降ボタン８５ｂを押下して上限位置Ｈ２や中間停止位置Ｈ１まで連続して移動させる昇降操作ＶＣ１とを操作可能に設けている。このように、洗車モード設定操作中にユーザーが下降ボタン８５ｂを押下した際には、昇降装置は中間停止位置Ｈ１に戻り、ここで一旦停止する。そして、リモートパネル７Ａの前に被洗浄車両ＣＡがいなくなった後、下限位置Ｈ０に自動的に戻るようにしている。
【００９０】
上記したようにカバー３１が開いた中間停止位置Ｈ１から上限位置Ｈ２までの領域がユーザー自身が行う可変制御ＶＣ領域であり、インチング操作してユーザーが希望する高さ位置に移動可能な昇降操作ＶＣ２と、一回の操作で上限位置Ｈ２や中間停止位置Ｈ１まで連続して移動させる昇降操作ＶＣ１とが操作可能である。また、パネル本体７１を最下段位置に保持した状態で、昇降装置のみが下限位置Ｈ０と中間停止位置Ｈ１との間を変位してカバー３１を開閉操作可能な領域が自動制御ＡＣ領域である。
【００９１】
また、洗車モードの設定操作を行っていない場合などには昇降装置を下限位置Ｈ０から上限位置Ｈ２まで一気に上昇させてもよく、上限位置Ｈ２から下限位置Ｈ０まで一気に下降させてもよい。例えば、リモートパネル７Ａの前に被洗浄車両ＣＡが停車しておらず、前述した検知部７９が何も検知していない状態で上昇ボタン８５ａが押下されると、図中の破線ＡＣ１に示しているように、下限位置Ｈ０から上限位置Ｈ２まで一気に上昇させる。また、この状態から下降ボタン８５ｂが押下されると図中の破線ＡＣ２に示すように上限位置Ｈ２から下限位置Ｈ０まで一気に下降させるとよい。
【００９２】
すなわち、本実施形態に係るリモートパネルの昇降制御方法は、下限位置Ｈ０と上限位置Ｈ２との間を連続的に昇降駆動する第一昇降制御と、ユーザーの操作に応じて中間停止位置Ｈ１と上限位置Ｈ２との間を昇降制御する第二昇降制御とを有する。
【００９３】
また、この第一昇降制御と第二昇降制御とは切替可能であることが好ましく、例えば、前述した検知部７９が被洗浄車両ＣＡを検知しているか否かにより自動的に切り替えるようにしている。この構成であれば、ユーザーが被洗浄車両ＣＡをリモートパネル７Ａの前に停車させている間は、ユーザーが昇降操作を行っても、カバー３１が開いて上部操作面９を露出した状態を維持したままパネル本体７１を昇降させることができる。また、この切替のための操作スイッチを別途設けておき、必要に応じて適宜選択できるようにしておいてもよい。
【００９４】
上記したように本実施形態に係るリモートパネルの昇降制御方法は、パネル本体を昇降させるために設ける昇降装置の昇降範囲が下限位置Ｈ０と上限位置Ｈ２と、カバー３１が開位置となる中間停止位置Ｈ１とを有し、下限位置Ｈ０と上限位置Ｈ２との間を昇降制御する第一昇降制御と、中間停止位置Ｈ１と上限位置Ｈ２との間を昇降制御する第二昇降制御とに切り替え可能にしている。
【００９５】
この構成であれば、昇降装置の昇降制御範囲の下限位置Ｈ０と上限位置Ｈ２との間に中間停止位置Ｈ１を設けて、下限位置Ｈ０と上限位置Ｈ２との間を昇降制御することに加えて、中間停止位置Ｈ１と上限位置Ｈ２との間に限定して昇降制御することができるので、カバー３１を開いた状態を維持したまま昇降制御することが可能になり、リモートパネル７Ａを操作するユーザーにとって操作が容易な昇降制御方法となる。従って、利便性の向上したリモートパネルの昇降制御方法を得ることができる。
【００９６】
また、パネル本体７１に、被洗浄車両ＣＡを検知する検知部７９を設け、検知部７９が当該リモートパネル７Ａの前に停車した被洗浄車両ＣＡを検知すると昇降装置を介してパネル本体７１を中間停止位置Ｈ１まで自動的に上昇させると共に、リモートパネル７Ａに設ける昇降制御ボタン（上昇ボタン９１と下降ボタン９２）の操作に応じて中間停止位置Ｈ１と上限位置Ｈ２との間を移動可能にしている。この構成であれば、洗車を希望するユーザーがリモートパネル７Ａの前に被洗浄車両ＣＡを停車すると、リモートパネル７Ａのカバー３１が自動的に開き、その後の操作により任意の高さ位置にパネル本体の高さを変更できるので、ユーザーにとって操作容易となる。
【００９７】
また、検知部７９を介して被洗浄車両ＣＡがいなくなったことを検知した後、昇降装置を下限位置Ｈ０まで移動させてカバー３１を閉止することが好ましい。この構成であれば、操作終了したユーザーが被洗浄車両ＣＡを移動させる間はカバー３１が開いたままであるので、洗車モードの設定操作を容易に安全に行えると共に、設定終了して移動した後で、リモートパネル７Ａのカバー３１が閉まるので、設定操作を行わない間はリモートパネル７Ａの上部操作面９を覆うことができて、風雨などに起因する汚れや損傷を防止可能になる。
【００９８】
上記したように本実施形態によれば、カバー３１を開く操作とパネル本体７１の高さ位置を調整する操作が容易となる。また、カバー３１を開いたままで中間停止位置Ｈ１と上限位置Ｈ２との間をユーザーの操作に応じてパネル本体７１を上昇・下降させる第二昇降制御を備えているので、洗車モードを設定する操作が容易にできて利便性の向上したリモートパネルの昇降制御方法を得ることができる。
【００９９】
また、カバー３１が開閉する際にはパネル本体７１は移動しないので安全であり、カバー３１の開位置と閉位置を規定するための磁石などの別部材は不要であるので、コスト的にも有効となる。
【０１００】
以上、説明したように、本実施形態に係るリモートパネル７Ａは基部７０とパネル本体７１を備え、リモートパネル７Ａの前に停車した被洗浄車両ＣＡを検知すると昇降装置を駆動してカバー３１を開く構成としているので、ユーザー自身がカバー３１を開く操作をする必要がなくなり、ユーザーにとって操作容易となり利便性が向上する。また、カバー３１は、前面部３１ａから後方に離れた位置にある回動支点部３０を中心にして回動するので、前面部３１ａが前側にさほど突出しない状態で開くことができ、被洗浄車両ＣＡとの干渉を抑制することができる。
【０１０１】
そのために、リモートパネル７Ａの前に被洗浄車両ＣＡを停車した状態でカバー３１を開ける操作を行っても、車体表面に当接したり接触したりせず、安全に操作可能になる。また、その後の洗車モードの設定操作中は、カバー３１が開いた状態を維持して、パネル本体７１を上昇・下降できるので、洗車モードの設定操作を行う際に、所望の高さ位置まで容易に移動させることができる。
【０１０２】
また、洗車モードの設定操作が終了したユーザーは、そのままリモートパネル７Ａの前から退出するだけでよく、その後、自動的にパネル本体７１が降下して、その最後の段階において、カバー３１が自動的に閉じるので、カバー３１の開閉を安全に行うことができる。また、カバー３１の閉じ忘れを防止することができる。
【０１０３】
上記したように本発明に係るカバー３１は、リモートパネル７Ａの上部操作面９を覆う前面部３１ａと、該前面部３１ａの側部両側を後方側に延設した側面部３１ｂとを有し、該側面部３１ｂの先端部分に回動支点部３０を設け、当該回動支点部３０を中心にして前面部３１ａが上方に向けて回動して開く構成としているので、カバー３１を開ける際に、前面部３１ａが前側にさほど突出しない状態で開くことができる。
【０１０４】
また、リモートパネル７Ａの前に被洗浄車両ＣＡを停車させることで、パネル本体７１を上昇させる操作に連動してカバー３１を開く構成としているので、ユーザーにとって操作容易となり利便性が向上する。また、カバー３１は前側に突出しないように開くので、被洗浄車両ＣＡとの干渉を効果的に抑制して安全に操作することが可能になる。
【０１０５】
さらに、昇降装置の昇降範囲が下限位置Ｈ０と上限位置Ｈ２と、カバー３１が開位置となる中間停止位置Ｈ１とを有し、下限位置Ｈ０と上限位置Ｈ２との間を昇降制御する第一昇降制御と、中間停止位置Ｈ１と上限位置Ｈ２との間を昇降制御する第二昇降制御とに切り替え可能にした昇降制御方法としているので、カバー３１を開いた状態を維持したまま中間停止位置Ｈ１と上限位置Ｈ２との間を昇降制御することが可能になり、ユーザーにとって利便性の向上したリモートパネルの昇降制御方法となる。
【０１０６】
以上、本発明に係るリモートパネルとして、洗車機の各種洗車モードを設定するためのリモートパネル７Ａを例示して説明したが、本発明の範囲は、上記した実施形態の説明ではなく特許請求の範囲によって示され、さらに特許請求の範囲と均等の意味および範囲内での全ての変更が含まれる。
【０１０７】
例えば、パネル本体を上昇させる際の上昇移動を利用してカバー３１を開ける構成として説明したが、本発明はこれに限らず、カバー３１を単独に開閉する駆動装置を設置した構成であってもよい。
【０１０８】
また、金銭やカードを挿入する複数の挿入口を備えた上部操作面を覆うカバー３１として説明したが、本発明はこれに限らず、各種設定操作を行う盤面の一部または全部を覆うためのカバーであってもよい。
【産業上の利用可能性】
【０１０９】
そのために、本発明に係るリモートパネルおよびリモートパネルの昇降制御方法は、ユーザー自身が各種設定操作を行うと共に、安全性や操作の容易性が求められるリモートパネルに好適に適用される。
【符号の説明】
【０１１０】
１    洗車機本体
２    レール
３    車輪
７Ａ  リモートパネル
９    上部操作面
３０    回動支点部
３１    カバー
３１Ａ  待機位置
３１Ｂ  開位置
３２    固定ロッド
３３    連結ロッド
３４    ロッド受け板
４１    シリンダ部材
４２    シリンダロッド
４３    支持ベース
７０    基部
７１    パネル本体
７９    検知部
８５ａ  上昇ボタン
８５ｂ  下降ボタン
９０Ａ、９０Ｂ  下部操作面
９１    上昇ボタン
９２    下降ボタン
ＡＣ    自動制御
ＶＣ    可変制御
ＣＡ    被洗浄車両
ＷＡ    洗車機
【図１】
2014198553.tif 000003
【図２】
2014198553.tif 000004
【図３】
2014198553.tif 000005
【図４】
2014198553.tif 000006
【図５】
2014198553.tif 000007
【図６】
2014198553.tif 000008
【図７】
2014198553.tif 000009
【図８】
2014198553.tif 000010
【図９】
2014198553.tif 000011